(57)【要約】【課題】顔全体へのマッサージの効果を均一に得られる美容装置を提供する。【解決手段】本体と本体に固定された接続ロッドを備えた本体機構と、接続ロッドの上側の端部に設けられ、実質的に扇形の外縁部と、外縁部に接続され且つユーザーの皮膚に接触するふくらみ部を備えたヘッドと、本体の内部に装着され、制御可能に振動を発生させることができ、ヘッドを帯同して、ヘッドと共に振動するアクチュエータとを備える。【選択図】図１
0003218211.tif 000002
【実用新案登録請求の範囲】
【請求項１】
本体と前記本体から上側に延伸する接続ロッドを備えた本体機構と、
前記接続ロッドの上側の端部に設けられ、ユーザーの皮膚に接触するふくらみ部と、前記ふくらみ部の外縁と接し且つ実質的に扇形の外縁部とを備えたヘッドと、
前記本体の内部に装着され、制御可能に振動を発生させることができ、前記ヘッドを帯同して、前記ヘッドと共に振動するアクチュエータを有する駆動ユニットとを備える
ことを特徴とする美容装置。
【請求項２】
前記ふくらみ部は、下側に位置する鈍角部と前記鈍角部の反対側に位置する鋭角部を備える
ことを特徴とする請求項１に記載の美容装置。
【請求項３】
前記外縁部は、前記ふくらみ部の前記鋭角部に対応する上外縁部と、前記上外縁部の反対側に位置し且つ前記ふくらみ部の前記鈍角部に対応する下外縁部と、それぞれ前記上外縁部と前記下外縁部の両端に接続される一対のサイド縁部と、
を備えることを特徴とする請求項２に記載の美容装置。
【請求項４】
前記上外縁部は、ふくらんだ円弧面に形成された第１の弧状面部を備える
ことを特徴とする請求項３に記載の美容装置。
【請求項５】
前記下外縁部は、一対の前記サイド縁部にそれぞれ接し、且つ、ふくらんだ円弧面に形成された一対の第２の弧状面部を備える
ことを特徴とする請求項４に記載の美容装置。
【請求項６】
前記ヘッドは、外縁部に接続され且つ前記ふくらみ部の反対側に位置する接続面を備え、
前記ふくらみ部の最も高い点から前記接続面までの間の垂直距離は第１の厚さであり、前記第１の厚さの範囲は３．０ｍｍ〜６．０ｍｍの間である
ことを特徴とする請求項１に記載の美容装置。
【請求項７】
前記本体は所定の中心軸線を軸心として形成された円筒状構造であり、
前記接続ロッドは前記本体に接続された下端部と、前記下端部とは反対側の上端部とを備え、
前記接続ロッドの前記下端部は前記中心軸線に沿って延伸し、前記接続ロッドの前記上端部は前記下端部の前記中心軸線と異なる方向であって前記本体から遠ざかる方向へ延伸して先端に前記ヘッドが接続されており、
前記ヘッドの前記接続面は前記本体に対して傾斜する
ことを特徴とする請求項６に記載の美容装置。
【請求項８】
前記サイド縁部は、それぞれ平面である切り欠き面を備え、前記切り欠き面の上縁の最も高い点から前記切り欠き面の下縁の間の垂直距離は第２の厚さであり、前記第２の厚さの範囲は１．０ｍｍ〜４．０ｍｍの間である
ことを特徴とする請求項３に記載の美容装置。
【請求項９】
前記本体は把持部と、前記把持部に接続され且つ着脱可能なベースを備え、
前記把持部は、前記駆動ユニットを収容するための収容空間を画成する
ことを特徴とする請求項１に記載の美容装置。
【請求項１０】
前記ベースは前記駆動ユニットに電気的に接続されたスイッチを備え、前記スイッチは前記駆動ユニットをオン又はオフするのに用いられる
ことを特徴とする請求項９に記載の美容装置。
【考案の詳細な説明】
【技術分野】
【０００１】
本考案は美容装置に関し、特に顔に用いられる美容装置に関する。
【背景技術】
【０００２】
従来から、ユーザーは肌理が細やかで美しい肌を求めて、化粧品に加えて、顔の表面をマッサージするスキンケア装置（美容装置）を使用してきた。
【先行技術文献】
【特許文献】
【０００３】
【特許文献１】意匠登録第１３９１６５６号公報
【考案の概要】
【考案が解決しようとする課題】
【０００４】
しかし、従来の美容装置は微振動するヘッドの形状が円状、平板状又は球状なので、例えば鼻の脇や目袋等の窪んだ部位にはヘッドを当てにくく、その結果マッサージの効果が顔の部位によって不均一となる問題があった。
【０００５】
本考案はこのような問題に鑑みて、顔全体へのマッサージの効果を均一に得られる美容装置を提供することを目的とする。
【課題を解決するための手段】
【０００６】
このような問題に鑑みて本考案は以下の構成を備える。本体と前記本体から上側に延伸する接続ロッドを備えた本体機構と、前記接続ロッドの上側の端部に設けられ、ユーザーの皮膚に接触するふくらみ部と、前記ふくらみ部の外縁と接し且つ実質的に扇形の外縁部とを備えたヘッドと、前記本体の内部に装着され、制御可能に振動を発生させることができ、前記ヘッドを帯同して、前記ヘッドと共に振動するアクチュエータを有する駆動ユニットとを備える。
【考案の効果】
【０００７】
接続ロッドの上側の端部に設けられ実質的に扇形の外縁部と、外縁部に接続され且つユーザーの皮膚に接触するふくらみ部とを備えたヘッドを備えたので、顔の隅から隅までマッサージすることができ、特に鼻の脇や目袋等の窪んだ部位にもヘッドが届き易く、顔全体へのマッサージの効果を均一に得られる。
【図面の簡単な説明】
【０００８】
【図１】本考案の第１の実施形態を説明する斜視図である。
【図２】本考案の第１の実施形態を説明する分解図である。
【図３】本考案のヘッドの寸法を説明するための側面図である。
【図４】本考案のヘッドの取り付け方を説明した背面図である。
【図５】本考案の正面図である。
【図６】本考案のヘッドを真上（ふくらみ部側）からみた図面である。
【図７】本考案のヘッドを下外縁部側からみた図面である。
【図８】本考案のヘッドを上外縁部側からみた図面である。
【図９】本考案の美容装置の顔への使用方法を説明した図である。
【考案を実施するための形態】
【０００９】
図１〜図３を参照して本考案の美容装置を説明する。ここで、図１は、本考案の第１の実施形態を説明する斜視図であり、図２は本考案の第１の実施形態を説明する分解図であり、図３は本考案のヘッドの寸法を説明するための側面図である。
【００１０】
本考案の美容装置は本体機構１と、ヘッド２と、駆動ユニット３を備える。
【００１１】
具体的には、図１に示す様に、本体機構１は、本体１１と、接続ロッド１２を備える。本体１１は円筒状に形成され、図３に示す様に、本体１１の中心である軸線Ｙに沿って延伸する。本体１１の外周面には手で持つことができる把持部１１２が形成されている。また、本体１１の下側には、図２の様にねじを介して把持部１２と着脱可能なベース１１１が設けられる。
【００１２】
また、ベース１１１には駆動ユニット３を駆動するためのスイッチ１１１ａが設けられるが、このスイッチ１１１ａは、ベース１１１側のねじ又は本体１１を回転させて、本体１１側のねじと螺合させることによりオンとオフを切り換えることができる。ただし、スイッチ１１１ａに代えて単なるディップスイッチを把持部１１２に設けてオンとオフを切り換えても差し支えない。把持部１１２の内部には駆動ユニット３を収容するための収容空間１１２ａが画成される。
【００１３】
図３と図４を参照して説明する。ここで、図４は本考案のヘッドの取り付け方を説明した背面図である。
【００１４】
接続ロッド１２は細長い棒状に形成され、本体１１とは反対側へ延伸する。また、接続ロッド１２には下端部１２１と、上端部１２２が形成される。下端部１２１は本体１１と接続される。上端部１２２は接続ロッド１２の下端部１２１とは反対側に形成される。
【００１５】
図３に示す様に、下端部１２１は本体１１の中心を通る中心軸線Ｙ上に位置する。ただし、上端部１２２は図３に示すように、中心軸線Ｙから離れるように、接続ロッド１２が折り曲げられている。このため、接続ロッド１２と本体１１の延伸方向は異なる。なお、接続ロッド１２の延伸方向を中心軸線Ｙと一致させても差し支えない。
【００１６】
図３〜図８を参照してヘッド２の構造を説明する。ここで、図５は本考案の正面図であり、図６は本考案のヘッド２を真上（ふくらみ部２３側）からみた図面であり、図７は本考案のヘッド２を下外縁部側２２３からみた図面である。更に、図８は本考案のヘッド２を上外縁部側２２１からみた図面である。
【００１７】
ヘッド２は接続ロッド１２の上端部１２２に接続される。図８に示す様に、ヘッド２には、接続面２１と、外縁部２２と、ふくらみ部２３が形成される。ヘッド２の外縁部２２は、ふくらみ部２３の外縁と接する。
【００１８】
ここで、ヘッド２の外縁部２２は「実質的な扇形」である。本願において「実質的な扇形」には「水滴のような形」や「扇形そのもの」や、「扇形の３個の角のうちの少なくとも一つが弧状のもの」が含まれるものとする。
【００１９】
ふくらみ部２３は、図２、図７、図８に示す様に本体１１から離れた方向に凸となるように中心部が膨らんでいる。また、このふくらみ部２３は使用者の顔に直接触れる部位である。また、ふくらみ部２３は、接続ロッド１２の上側の端部に設けられる。
【００２０】
接続面２１は図７、図８に示す様に高さ方向において、ふくらみ部２３の反対側に形成される。また、ふくらみ部２３と接続面２１の間の外周には外縁部２２が形成される。接続面２１は「実質的な扇形」の平面である。また、接続面２１は中心位置に隣接するように設けられた接続部２１１を有する。接続部２１１は、図２に示す様に外縁部２２よりも奥まった位置に形成され、且つ幅が狭い切頭錐体に形成され、接続ロッド１２側が凸となるように形成される。
【００２１】
接続部２１１は、ヘッド２と本体機構１の接続ロッド１２を相互に接続するために用いられる。図３に示す様に、接続ロッド１２の上端部１２２が中心軸線Ｙから離れる方向に外側へやや曲がるように取り付けられているので、結果的に、ヘッド２は本体１１の中心軸線Ｙに対して傾斜する。
【００２２】
すなわち、本体１１は所定の中心軸線Ｙを軸心として形成された円筒状構造であり、接続ロッド１２は本体１１に接続された下端部１２１と、下端部１２１とは反対側の上端部１２２とを備え、接続ロッド１２の下端部１２１は中心軸線Ｙに沿って延伸し、接続ロッド１２の上端部１２２は下端部１２１の中心軸線Ｙと異なる方向であって本体１１から遠ざかる方向へ延伸して先端にヘッド２が接続されており、ヘッド２の接続面２１は本体１１に対して傾斜する。
【００２３】
そのため、手持部１１２を握った際に、本体１１の角度を地面と垂直となる程度に持ち上げれば、肘を高く上げなくても、ヘッド２のふくらみ部２３が顔に接触するので使用しやすい。
【００２４】
図１、図４〜図８に示す様に、ふくらみ部２３は本体機構１側に傾いた鈍角部２３１と、この鈍角部２３１とは反対側に形成された鋭角部２３２を有する。すなわち、ふくらみ部２３は、下側に位置する鈍角部２３１と鈍角部２３１の反対側に位置する鋭角部２３２を備える。
【００２５】
図６に示す様に、外縁部２２は実施的な扇形に形成される。
【００２６】
また、外縁部２２は、ふくらみ部２３の鋭角部２３２に対応する上外縁部２２１と、この上外縁部２２１とは反対側に形成されると共にふくらみ部２３の鈍角部２３１に対応する下外縁部２２３と、互いに対向するように設けられ、上外縁部２２１から延伸して（上外縁部２２１の方向へ延伸して）、それぞれが、上外縁部２２１と下外縁部２２３を接続する一対のサイド縁部２２２を備える。
【００２７】
一対のサイド縁部２２２にはそれぞれ切り欠き面２２２ａが形成される。下外縁部２２３は一対のサイド縁部２２２の間に位置し、且つ両端がサイド縁部２２２とそれぞれ接続される。図６に示す様に、上外縁部２２１はふくらんだ円弧面に形成された第１の弧状面部２２１ａを有し、下外縁部２２３はサイド縁部２２２との境界に設けられ、ふくらんだ円弧面に形成された一対の第２の弧状面部２２３ａを有する。このため、ヘッド２は全体として左右対称となる。
【００２８】
図３、図７、図８を参照して説明する。図３のように、ふくらみ部２３の最も高い点（本体１１から離れた側）から接続面２１の間の垂直距離を第１の厚さＤ１とする。また、切り欠き面２２２ａの上縁の最も高い点から切り欠き面２２２ａの下縁の間の垂直距離を第２の厚さＤ２とする。第１の厚さＤ１の比較的好ましい範囲は３ｍｍ〜６ｍｍの間であり、最も良いのは４．５ｍｍである。第２の厚さの比較的好ましい範囲は１．０ｍｍ〜４．０ｍｍであり、最も良いのは２．５ｍｍである。
【００２９】
また、図７、図８に示す様に、上外縁部２２１の高さは下外縁部２２３の高さとほぼ同じである。更に、サイド縁部２２２の最高点の位置は上外縁部２２１より高い。サイド縁部２２２の最低点の位置は上外縁部２２１よりもやや低い。サイド縁部２２２の長手方向の幅は、図８に示す様に上外縁部２２１の幅より広い。このため、上外縁部２２１は尖っており、このため、鼻の脇等の窪んでいる部位にもヘッド２が届き易い。
【００３０】
このように、ヘッド２のサイド縁部２２２は各種の異なる厚さ及び形状を有する。図３に示す様に、ヘッド２は側面から見ると中間付近が隆起しており、ふくらみ面２３は上下の両端が略面状となっている。すなわち、図８に示す様に上外縁部２２１は面積が狭い平面であり、下外縁部２２３は図６、図７に示す様に湾曲した面である。
【００３１】
図８に示す様に、サイド縁部２２２は、一端が上外縁部２２１に接続されるため、上外縁部２２１側における高さ方向の幅が狭く、その後、徐々に幅が広がり、下外縁部２２３に近づくと高さ方向における再び幅が狭くなる。
【００３２】
ヘッド２を上述のように構成したので、ふくらみ部２３側から見ても接続面２１側から見ても実質的に扇形となる。
【００３３】
このため、使用者は必要に応じて外縁部２２の異なる部位又はふくらみ部２３を使い分けることによって、顔の窪んだ部位にも比較的平らな部位にも、美容、保養のためのマッサージを行なうことができる。
【００３４】
図２と図３を参照して説明する。駆動ユニット３は本体１１の内部に設けられたアクチュエータ３１を備える。また、駆動ユニット３はアクチュエータ３１を動作させるための電池３２も備える。アクチュエータ３１は図示しない回転するモーター（図示せず）を備える。アクチュエータ３１は、ユーザーがスイッチ１１１ａをオンに切り換えた際に微振動を発生させる。
【００３５】
ヘッド２をアクチュエータ３１が振動させると、ヘッド２が振動するので、マッサージ効果を得られる。本実施例において、アクチュエータ３１の振動数は毎分８０００回〜９０００回程度である。なお、本実施形態の電池３２は一次電池でもよくまたは二次電池としてのリチウム電池でも良く、更に、電池３２に変えて図示しない交流電源から電源を取得しても良い。
【００３６】
図４、図５、図９を参照して、ユーザーがヘッド２を顔に当ててマッサージを行なう手順を説明する。まず、ユーザーは本体機構１の本体１１を片手で持って、もう片方の手でベース１１１を持つ。そして、本体１１のベース１１１を図５の第１の方向Ａに回転させ、スイッチ１１１ａをオンに切り換える。
【００３７】
スイッチ１１１ａの導電チップ（図示せず）と電池３２が接触することにより、電池３２に接続されたアクチュエータ３１が振動する。ユーザーは、アクチュエータ３１と共に振動するヘッド２を使用して顔その他の皮膚をマッサージすることができる。更に、アクチュエータ３１の振動を利用することができるので、ユーザーは化粧水その他のスキンケア製品を皮膚の内部に有効に浸透させることができる。
【００３８】
具体的には、ヘッド２のふくらみ部２３は頬等の比較的平たい部分に接触させるとマッサージ効果を得られやすい。すなわち、ふくらみ部２３を頬に軽く押し当てると、ふくらみ部２３は面積が広いので、頬の多くの部分をマッサージできる。この際に、接続ロッド１２が曲がっているので、頬に当て易く、更に上下左右への移動も容易である。
【００３９】
また、上外縁部２２１は、ふくらみ部２３ではヘッド２が届きにくい鼻の脇等の部位に用いることが好ましい。面積が狭い代わりに、窪んだ部分にもヘッド２が届き易いからである。一方、下外縁部２２３は高さ方向への幅は狭いが、図６の鈍角部２３１に示すとおり、丸みを帯びているので、顔の比較的広範囲に窪んだ部分をマッサージするのに適している。
【００４０】
要するに、ふくらみ部２３と、上外縁部２２１と、下外縁部２２３と、サイド縁部２２２とを適宜使い分けるように顔に押し当てることにより、顔の表面の凹凸に拘わらずヘッド２が届き、マッサージすることができる。
【００４１】
更に、ユーザーは外縁部２２のサイド縁部２２２を顔の両側に順に軽く押し当て、マッサージをして代謝を促すことにより、顔色のよさやきめ細やかさが増し、むくみを除去し、顔の輪郭をシャープにし、小顔にする効果が得られる。
【００４２】
また、外縁部２２のサイド縁部２２２を目袋に当てることにより、皺や弛みを伸ばすフェイスリフトの効果を得られる上、眼の下のクマを薄くする効果がある。また、外縁部２２のサイド縁部２２２を押し当てることにより、不要な老廃物の代謝を促せる。
【００４３】
そして、ユーザーはマッサージが終わったら、本体１１のベース１１１を第１の方向Ａとは反対方向に回転させてスイッチ１１１ａをオフに切り換え、電池３２からアクチュエータ３１への電源の供給を停止して、振動を停止する。なお、本考案のヘッドは２４Ｋ（２４金）を使用しても良く、２４Ｋの場合人体に無害であり、皮膚を傷つけにくく、更に、ヘッド２の高速振動によって、皮膚細胞の代謝を高めることができる。また、ヘッド２の振動により、リンパの流れを促進することもでき、慢性化する前に顔のむくみを解消して小顔にすることができる。
【００４４】
以上のように、本考案の美容装置は、本体１１を手で持ってヘッド２をアクチュエータ３１と共に振動させることにより顔をマッサージするが、その際にヘッド２の形状が、ふくらみ部２３、鋭角部２３２、鈍角部２３１と多種に渡るので、顔の凹凸に併せてヘッド２が当接する部位を適宜変えることにより、顔を隅から隅までマッサージすることができ、特に鼻の脇や目袋等のヘッド２が届きにくいところにもヘッド２が届き易く、顔全体へのマッサージの効果を均一に得られ、皮膚細胞の代謝を高めることができる。
【００４５】
以上の説明は、本考案の実施例に過ぎず、これを以って本実用新案登録請求の範囲を限定するものではない。また、本考案の実用新案登録請求の範囲及び明細書の内容に簡単な付加や変化を加えたに過ぎないものについても、実用新案登録請求の範囲に記載された考案の技術的範囲に属するものとする。
【符号の説明】
【００４６】
１          本体機構
１１        本体
１１１      ベース
１１１ａ    スイッチ
１１２      把持部
１１２ａ    収容空間
１２        接続ロッド
１２１      下端部
１２２      上端部
２          ヘッド
２１        接続面
２１１      接続部
２２        外縁部
２２１      上外縁部
２２１ａ    第１の弧状面部
２２２      サイド縁部
２２２ａ    切り欠き面
２２３      下外縁部
２２３ａ    第２の弧状面部
２３        ふくらみ部
２３１      鈍角部
２３２      鋭角部
３          駆動ユニット
３１        アクチュエータ
３２        電池
Ｙ          中心軸線
Ａ          第１の方向
Ｄ１        第１の厚さ
Ｄ２        第２の厚さ
【図１】
0003218211.tif 000003
【図２】
0003218211.tif 000004
【図３】
0003218211.tif 000005
【図４】
0003218211.tif 000006
【図５】
0003218211.tif 000007
【図６】
0003218211.tif 000008
【図７】
0003218211.tif 000009
【図８】
0003218211.tif 000010
【図９】
0003218211.tif 000011